(57)【要約】【課題】表示品質の向上した表示装置を提供することを課題とする。【解決手段】液晶パネルなどの表示装置において、ストライプ状に画素の集合体１０を構成してなると共に、緑（Ｇ）、青（Ｂ）、赤（Ｒ）で一画素を構成したものの端部に位置する緑色の副画素１２Ｇに低視感度の副画素１３Ｂを配設してなり、視感度の低い色の画素を配設することで、人間の目の錯覚を低減し、色づいてみえることを防止し、液晶表示領域における表示品位を向上させる。【選択図】      図２
2004354506.tif 000002
【特許請求の範囲】
【請求項１】
複数色の副画素からなる一画素を複数配列して表示領域を構成してなる電気光学装置用基板において、
前記表示領域の端部に視感度の低い色の副画素が配設されてなることを特徴とする電気光学装置用基板。
【請求項２】
複数色の副画素からなる一画素を複数配列して表示領域を構成してなる電気光学装置用基板において、
前記表示領域の端部に視感度の低い色の副画素を配設し、
前記視感度の低い色に隣接して視感度の高い色が配設されてなることを特徴とする電気光学装置用基板。
【請求項３】
複数色の副画素からなる一画素を複数配列して表示領域を構成してなる電気光学装置用基板において、
表示領域の端部に視感度の低い色のダミーの副画素を配設してなることを特徴とする電気光学装置用基板。
【請求項４】
緑（Ｇ）、青（Ｂ）、赤（Ｒ）の三色の副画素からなる一画素を複数配列して表示領域を構成してなる電気光学装置用基板において、
前記表示領域の端部に視感度の低い色の副画素を配設してなることを特徴とする電気光学装置用基板。
【請求項５】
緑（Ｇ）、青（Ｂ）、赤（Ｒ）の三色の副画素からなる一画素を複数配列して表示領域を構成してなる電気光学装置用基板において、
前記表示領域の端部に視感度の低い色の副画素を配設し、
前記表示領域の前記視感度の低い色の内側に視感度の高い色が配設されてなることを特徴とする電気光学装置用基板。
【請求項６】
緑（Ｇ）、青（Ｂ）、赤（Ｒ）の三色の副画素からなる一画素を複数配列して表示領域を構成してなる電気光学装置用基板において、
表示領域の端部に視感度の低い色のダミーの副画素を配設してなることを特徴とする電気光学装置用基板。
【請求項７】
前記端部には、複数の前記視感度の低い色の副画素が配設されてなることを特徴とする請求項１乃至６のいずれか一つに記載の電気光学装置用基板。
【請求項８】
請求項３乃至５のいずれか一つにおいて、
前記視感度の低い色が青又は赤であることを特徴とする電気光学装置用基板。
【請求項９】
請求項６において、
前記視感度の低いダミーの画素を隣接する画素と同程度の輝度で発光させることを特徴とする電気光学装置用基板。
【請求項１０】
請求項１乃至９のいずれか一つにおいて、
副画素の配列がストライプ配列又はデルタ配列であることを特徴とする電気光学装置用基板。
【請求項１１】
請求項１０において、
副画素の配列がストライプ配列の場合、ストライプ状の同一色の画素を構成する長手方向と直交する方向の端部のいずれか一方又は両方に視感度の低い色の副画素をストライプ状に配設してなることを特徴とする電気光学装置用基板。
【請求項１２】
請求項１０において、
副画素の配列がストライプ配列の場合、緑（Ｇ）、青（Ｂ）、赤（Ｒ）を一画素としてストライプ配列を構成してなると共に、ｎ×画素＋１の位置に視感度の低い色の副画素をストライプ状に配設してなることを特徴とする電気光学装置用基板。
【請求項１３】
請求項１０において、
副画素の配列がデルタ配列の場合、左右又は上下のいずれかに突出する副画素に視感度の低い色を配設してなることを特徴とする電気光学装置用基板。
【請求項１４】
請求項１０において、
副画素の配列がデルタ配列の場合、緑（Ｇ）、青（Ｂ）、赤（Ｒ）を一画素としてデルタ配列を構成してなると共に、ｎ×画素＋１の位置又はｎ×画素＋２の位置に視感度の低い色の副画素を配設してなることを特徴とする電気光学装置用基板。
【請求項１５】
請求項１０において、
副画素の配列がストライプ配列又はデルタ配列の場合、表示領域の周囲に視感度の低い色の副画素を配設してなることを特徴とする電気光学装置用基板。
【請求項１６】
請求項１乃至１５のいずれか一つに記載の電気光学装置用基板を備えることを特徴とする電気光学装置。
【請求項１７】
請求項１６に記載の電気光学装置を備えることを特徴とする電子機器。
【請求項１８】
複数色の副画素からなる一画素を複数配列して表示領域を形成する電気光学装置用基板の製造方法において、
前記表示領域の端部に視感度の低い色の副画素を配設することを特徴とする電気光学装置用基板の製造方法。
【請求項１９】
緑（Ｇ）、青（Ｂ）、赤（Ｒ）の三色の副画素からなる一画素を複数配列して表示領域を形成する電気光学装置用基板の製造方法において、
前記表示領域の端部に視感度の低い色の副画素を配設することを特徴とする電気光学装置用基板の製造方法。
【請求項２０】
請求項１７又は１８に記載の電気光学装置用基板の製造方法を用いることを特徴とする電気光学装置の製造方法。
【発明の詳細な説明】
【０００１】
【発明の属する技術分野】
本発明は表示品位を向上させることができる電気光学装置用基板、電気光学装置、電子機器、及び、電気光学装置用基板の製造方法、並びに、電気光学装置の製造方法に関する。
【０００２】
【従来の技術】
従来から、電極が形成された二枚のガラス基板間に液晶を封入すると共に、いずれか一方のガラス基板に赤色光（Ｒ）、緑色光（Ｇ）、または青色光（Ｂ）を透過するカラーフィルタを設けたカラー液晶表示装置がある。このカラーフィルイタの色配置は、従来から種々研究されており、例えば図９に示すように、一つの画素に対応してＲＧＢをストライプ状に配列した集合体１１の表示領域、図１０に示すように、ＲＧＢ三色の列毎に交互にずらしてデルタ状に配列した集合体１１の表示領域がある。このような色配置の形態で重要なことは、ＲＧＢを全て点灯したときに加法混色による白色が明るく、鮮やかで、しかも容易に製造できる形態でなければならない。
【０００３】
また、ワープロやパソコンなどのＯＡ機器に用いられる大型カラー液晶表示装置は、現在、縦方向と横方向の画素数が６４０×４８０個（ＶＧＡ対応）のものが主流になっており、このようなカラー液晶表示装置の開口率はおよそ３５％で、対角が１０．４インチの表示装置にしようとすると、一画素のピッチは３３０μｍになっている（特許文献１）。
このような規格製品では、ＲＧＢからなる３色で一画素を構成すると、例えばＶＧＡの場合には、（６４０×３）個の副画素×（４８０）個の副画素で表示領域を構成している。
【０００４】
【特許文献１】
特開平６−５１３０１号公報
【０００５】
【発明が解決しようとする課題】
ところで、前述した図９や図１０に示す表示装置では、表示領域の末端に視感度の高い色である緑色（Ｇ）が配置されることを許容することになる。しかしながら、ＲＧＢの副画素の輝度のバランスにより種々の表示がなされるが、表示領域の端末の副画素では、隣接する色がないことにより、連続性が失われることになる。この結果、無彩色を表示しているにもかかわらず、人間の目の錯覚により色づいて見える場合があり、表示品質の向上が求められている。
【０００６】
本発明は、前記問題に鑑み、画面の末端において、錯覚を軽減し、表示品位を向上させることができる電気光学装置用基板、電気光学装置、電子機器、及び、電気光学装置用基板の製造方法、並びに、電気光学装置の製造方法を提供することを課題とする。
【０００７】
【課題を解決するための手段】
前記課題を解決するため、本発明に係る電気光学装置用基板は、複数色の副画素からなる一画素を複数配列して表示領域を構成してなる電気光学装置用基板において、前記表示領域の端部に視感度の低い色の副画素が配設されてなることを特徴とする。末端に視感度の低い色の副画素を配設することで、人間の目の錯覚により色づいて見えることがなくなり、表示品質の向上を図ることができる。
【０００８】
また他の電気光学装置用基板は、複数色の副画素からなる一画素を複数配列して表示領域を構成してなる電気光学装置用基板において、前記表示領域の端部に視感度の低い色の副画素を配設し、前記視感度の低い色に隣接して視感度の高い色が配設されてなることを特徴とする。末端に視感度の低い色の副画素を配設すると共に、その隣りに視感度の高い色を配設することで、人間の目の錯覚により色づいて見えることがなくなり、表示品質の向上を図ることができる。
【０００９】
また、他の電気光学装置用基板は、複数色の副画素からなる一画素を複数配列して表示領域を構成してなる電気光学装置用基板において、表示領域の端部に視感度の低い色のダミーの副画素を配設してなることを特徴とする。末端に視感度の低い色のダミーの副画素を配設することで、人間の目の錯覚により色づいて見えることがなくなり、表示品質の向上を図ることができる。
【００１０】
また、他の電気光学装置用基板は、  緑（Ｇ）、青（Ｂ）、赤（Ｒ）の三色の副画素からなる一画素を複数配列して表示領域を構成してなる電気光学装置用基板において、前記表示領域の端部に視感度の低い色の副画素を配設してなることを特徴とする。
【００１１】
また、他の電気光学装置用基板は、緑（Ｇ）、青（Ｂ）、赤（Ｒ）の三色の副画素からなる一画素を複数配列して表示領域を構成してなる電気光学装置用基板において、前記表示領域の端部に視感度の低い色の副画素を配設し、前記表示領域の前記視感度の低い色の内側に視感度の高い色が配設されてなることを特徴とする。
【００１２】
また、他の電気光学装置用基板は、緑（Ｇ）、青（Ｂ）、赤（Ｒ）の三色の副画素からなる一画素を複数配列して表示領域を構成してなる電気光学装置用基板において、表示領域の端部に視感度の低い色のダミーの副画素を配設してなることを特徴とする。
【００１３】
前記端部には、複数の前記視感度の低い色の副画素が配設されてなるようにしてもよい。
【００１４】
また、前記視感度の低い色が青又は赤であるようにしてもよい。
【００１５】
前記視感度の低いダミーの画素を隣接する画素と同程度の輝度で発光させるようにしてもよい。
【００１６】
副画素の配列がストライプ配列又はデルタ配列であるようにしてもよい。
【００１７】
また電気光学装置用基板は、副画素の配列がストライプ配列の場合、ストライプ状の同一色の画素を構成する長手方向と直交する方向の端部のいずれか一方又は両方に視感度の低い色の副画素をストライプ状に配設してなることを特徴とする。
【００１８】
副画素の配列がストライプ配列の場合、緑（Ｇ）、青（Ｂ）、赤（Ｒ）を一画素としてストライプ配列を構成してなると共に、ｎ×画素＋１の位置に視感度の低い色の副画素をストライプ状に配設してなるようにしてもよい。
【００１９】
副画素の配列がデルタ配列の場合、左右又は上下のいずれかに突出する副画素に視感度の低い色を配設してなるようにしてもよい。
【００２０】
副画素の配列がデルタ配列の場合、緑（Ｇ）、青（Ｂ）、赤（Ｒ）を一画素としてデルタ配列を構成してなると共に、ｎ×画素＋１の位置又はｎ×画素＋２の位置に視感度の低い色の副画素を配設してなるようにしてもよい。
【００２１】
副画素の配列がストライプ配列又はデルタ配列の場合、表示領域の周囲に視感度の低い色の副画素を配設してなるようにしてもよい。
【００２２】
前記いずれかに記載の電気光学装置用基板を備えることで表示品位の向上した電気光学装置を提供できる。
【００２３】
前記電気光学装置を備えることで表示品位の向上した電子機器を提供できる。
【００２４】
電気光学装置用基板の製造方法は、複数色の副画素からなる一画素を複数配列して表示領域を形成する電気光学装置用基板の製造方法において、前記表示領域の端部に視感度の低い色の副画素を配設することを特徴とする。
【００２５】
また、他の電気光学装置用基板の製造方法は、緑（Ｇ）、青（Ｂ）、赤（Ｒ）の三色の副画素からなる一画素を複数配列して表示領域を形成する電気光学装置用基板の製造方法において、前記表示領域の端部に視感度の低い色の副画素を配設することを特徴とする。
【００２６】
前記電気光学装置用基板の製造方法を用いることで表示品位の向上した電気光学装置の製造方法を提供できる。
【００２７】
【発明の実施の形態】
以下、本発明の内容を発明の実施形態により詳細に説明するが、本発明はこれに限定されるものではない。
【００２８】
図１は本実施形態にかかる電気光学装置の概略図である。図２乃至図６は各実施形態にかかる画素配列の概略図である。図７はパーソナルコンピュータの斜視図である。図８は携帯電話の斜視図である。
【００２９】
［第１の実施の形態］
先ず、図１を参照して本発明にかかる電気光学装置である液晶表示パネルの構成について説明する。図１は、本発明に係る実施形態の液晶装置を構成する液晶パネル２００の外観を示す概略斜視図である。
【００３０】
この液晶装置は、いわゆる反射半透過方式のパッシブマトリクス型構造を有する液晶パネル２００に対して、必要に応じて図示しないバックライトやフロントライト等の照明装置やケース体などを適宜に取付けてなる。
【００３１】
図１に示すように、液晶パネル２００は、ガラス板や合成樹脂板等からなる透明な第１基板２１１を基体とするカラーフィルタ基板２１０と、これに対向する同様の第２基板２２１を基体とする対向基板２２０とがシール材２３０を介して貼り合わせられ、シール材２３０の内側に開口部２３０ａから液晶２３２が注入された後、封止材２３１にて封止されてなるセル構造を備えている。
【００３２】
第１基板２１１の内面（第２基板２２１に対向する表面）上には複数並列したストライプ状の透明電極２１６が形成され、第２基板２２１の内面上には複数並列したストライプ状の透明電極２２２が形成されている。また、上記透明電極２１６は配線２１８Ａに導電接続され、上記透明電極２２２は配線２２８に導電接続されている。透明電極２１６と透明電極２２２とは相互に直交し、その交差領域はマトリクス状に配列された多数のＲＧＢからなる画素を構成し、これらの画素配列が液晶表示領域Ａを構成している。
【００３３】
第１基板２１１は第２基板２２１の外形よりも外側に張り出してなる基板張出部２１０Ｔを有し、この基板張出部２１０Ｔ上には、上記配線２１８Ａ、上記配線２２８に対してシール材２３０の一部で構成される上下導通部を介して導電接続された配線２１８Ｂ、及び、独立して形成された複数の配線パターンからなる入力端子部２１９が形成されている。また、基板張出部２１０Ｔ上には、これら配線２１８Ａ，２１８Ｂ及び入力端子部２１９に対して導電接続されるように、液晶駆動回路等を内蔵した半導体ＩＣ２６１が実装されている。また、基板張出部２１０Ｔの端部には、上記入力端子部２１９に導電接続されるように、フレキシブル配線基板２６３が実装されている。
【００３４】
図２は、この液晶パネル２００において、液晶表示領域Ａとして、ストライプ状に画素１０のドットマトリックスの集合体１１を構成したものである。そして、この集合体がｎ個×ｍ個から表示領域Ａを構成している。ここで、上記画素１０は緑（Ｇ）青（Ｂ）赤（Ｒ）の副画素（サブピクセル）１２で一画素を構成したものであり、図面の縦方向において、同一色の副画素を配置してストライプ状をなしている。
そして、副画素の最初の端部の緑色の副画素（図面では左から２番目の副画素）１２Ｇには、その隣側に副画素（図面では左から１番目の副画素）を配設すると共にその副画素として低視感度の色の副画素１３を配設したものである。すなわち、視感度の低い色の副画素１３に隣接して視感度の高い色（緑）１２Ｇを配設することにもなる。
【００３５】
ここで、本発明で、低視感度の副画素としては、輝度の高い緑色の副画素１２Ｇ以外の青色（Ｂ）の視感度の低い副画素１３Ｂまたは赤色（Ｒ）の副画素１３Ｒが選択され、特に青色の副画素のものが赤の副画素よりも視感度が低いので好ましい。
【００３６】
よって、このように視感度の低い色の副画素１３を配設することにより、人間の目の錯覚を低減し、端部が色づいて見えるようなことを防止し、表示品位の向上を図ることができる。
【００３７】
また、例えばＶＧＡとかＸＧＡのような規格品の場合には、その端部に視感度の低いダミーの副画素を配設するようにすればよい。規格品以外の場合には、上述したような視感度の低い副画素を配置することで、表示品位の向上を図ることができる。
【００３８】
［第２の実施の形態］
図３は、この液晶パネル２００において、液晶表示領域Ａとしてストライプ状に画素１０の集合体１１を構成したものであり、第１の実施の形態の表示領域とは異なり、該画素１０の集合体１１の周囲に低視感度の副画素１３Ｂを配設したものである。
【００３９】
ここで、本発明で、低視感度の副画素としては、輝度の高い緑色の副画素以外の青色（Ｂ）の副画素または赤色（Ｒ）の副画素が選択され、本実施の形態では、青色の副画素１３Ｂを周囲に配設している。
【００４０】
よって、このように視感度の低い色の画素を配設することにより、人間の目の錯覚を低減し、端部が色づいて見えるようなことを防止し、表示品位の向上を図ることができる。
【００４１】
［第３の実施の形態］
図４は、この液晶パネル２００において、液晶表示領域Ａとしてデルタ状に画素１０の集合体１１を構成したものである。ここで、上記画素１０は緑（Ｇ）青（Ｂ）赤（Ｒ）の副画素（サブピクセル）１２Ｇ，１２Ｂ，１２Ｒで一画素を構成したものであり、奇数行と偶数行とが左右交互に突出し、この集合体がｎ個×ｍ個をレンガ状に配設してデルタ配列の表示領域を構成している。
本実施の形態では、図面横方向の（ｎ×画素）＋２の位置に低視感度の副画素１３を配設したものである。具体的には奇数行の最初の副画素が緑（Ｇ）の場合に、ＧＢＲから一画素１０を構成しているので、ｎ個目の副画素の最後は赤（Ｒ）となる。そして、ＧＢＲの順番とすると、緑（Ｇ）を配設すると輝度が高くなるので、低視感度の副画素として青の副画素１３Ｂを配設するようにしている。偶数行では、ＢＲＧから一画素１０を構成しているのが、右端は突出していないので、輝度の高いＧで終わっても色づいてみえることはない。
【００４２】
すなわち、図４に示すように、このデルタ状の配列では奇数行（第１，３・・・行）では左端部が緑（Ｇ）であり、偶数行（第２，４・・・行）では左端部が青（Ｂ）であるが、偶数行が突出しているので、左側では表示品質の低下はない。しかしながら、奇数行の右端部は赤（Ｒ）であるので、青（Ｂ）の場合よりも表示品質の低下が生じる。よって、ｎ個の画素の集合配列末端の次に、緑（Ｇ）、青（Ｂ）とさらに副画素を２個順番に配置することで、青（Ｂ）が端部に位置することで、無彩色の場合であっても、色づいてみえることが解消され、表示品質の向上を図ることができる。
【００４３】
このように視感度の低い色の画素１３を配設することにより、人間の目の錯覚を低減し、表示品位を向上させることができる。
【００４４】
［第４の実施の形態］
図５は、この液晶パネル２００において、デルタ状に画素１０の集合体２０を構成したものである。このデルタ配列では、ＧＢＲで一画素を構成し、一画素のｎ倍から構成されており、ｎ個×画素＋１の位置に低視感度の副画素１３Ｂを配設したものである。
【００４５】
すなわち、図５に示すように、このデルタ状の配列では奇数行（第１，３・・・行）では左端部が青（Ｂ）であり、偶数行（第２，４・・・行）では左端部が赤（Ｒ）であるが、奇数行が突出しているので、左側では表示品質の低下はない。しかしながら、偶数行の右端部は緑（Ｇ）であるので、表示品質の低下が生じる。よって、奇数行のｎ個の画素の集合配列の末端の副画素（赤）の次に、低視感度の青（Ｂ）の副画素を配置することで、無彩色の場合であっても、色づいてみえることが解消され、表示品質の向上を図ることができる。
【００４６】
また、例えばＶＧＡとかＸＧＡのような規格品の場合には、その端部＋２又は端部＋１の位置に視感度の低いダミーの副画素を配設するようにすればよい。規格品以外の場合には、上述したような視感度の低い副画素を配置することで、表示品位の向上を図ることができる。
【００４７】
［第５の実施の形態］
図６は、この液晶パネル２００において、ストライプ状に画素の集合体１０を構成したものであり、ＧＢＲで一ユニットを構成したものの端部の緑色の画素１１に隣接するように、低視感度のダミー画素１４を配設したものである。低視感度のダミー画素としては青色（Ｂ）または赤色（Ｒ）が選択され、特に青色のものが赤より視感度が低いので好ましい。
【００４８】
このダミー画素１４を用いた場合には、特にグレーとか白の場合に、隣接する副画素（又はライン）と同程度の輝度で発光させるようにすればよい。
【００４９】
また、図６に示すように、表示装置の黒色の周辺見切り２０よりも、ダミー画素１３が内側に存在するようにしている。
【００５０】
よって、このように視感度の低い色のダミー画素１３を配設することにより、人間の目の錯覚を低減し、表示品位を向上させることができる。
【００５１】
なお、通常の動作を補助するためのダミーの副画素は周辺見切り２０に隠れるように配置しているが、本発明におけるダミー画素は周辺見切り２０よりも、内側に配設され、そのダミー副画素を人間の目に見えるように積極的に発光させるようにしている。
【００５２】
［第６の実施の形態］
次に、本発明に係る表示装置を適用可能な電子機器の具体例について図７及び図８を参照して説明する。
【００５３】
まず、本発明に係る表示装置を、可搬型のパーソナルコンピュータ（いわゆるノート型パソコン）の表示部に適用した例について説明する。図７は、このパーソナルコンピュータの構成を示す斜視図である。同図に示すように、パーソナルコンピュータ９１は、キーボード９１１を備えた本体部９１２と、本発明に係る液晶表示装置を適用した表示部９１３とを備えている。
【００５４】
続いて、本発明に係る表示装置を、携帯電話機の表示部に適用した例について説明する。図８は、この携帯電話機の構成を示す斜視図である。
同図に示すように、携帯電話機９２は、複数の操作ボタン９２１のほか、受話口９２２、送話口９２３とともに、本発明に係る液晶表示装置を適用した表示部９２４を備える。
【００５５】
なお、本発明に係る液晶表示パネルを適用可能な電子機器としては、図７に示したパーソナルコンピュータや図８に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられ、特に限定されるものではない。
【００５６】
また、上述した実施形態では、電気光学装置として、液晶装置に適用した場合について説明したが、本発明はこれに限定されず、エレクトロルミネッセンス装置、特に、有機エレクトロルミネッセンス装置、無機エレクトロルミネッセンス装置等や、プラズマディスプレイ装置、ＦＥＤ（フィールドエミッションディスプレイ）装置、ＬＥＤ（発光ダイオード）表示装置、電気泳動表示装置、液晶シャッター等を用いた小型テレビ、デジタルマイクロミラーデバイス（ＤＭＤ）を用いた装置などの各種の電気光学装置に適用できる。
【図面の簡単な説明】
【図１】第１の実施の形態にかかる液晶パネルの概略図である。
【図２】第１の実施の形態にかかる画素の配列の概略図である。
【図３】第２実施の形態にかかる画素の配列の概略図である。
【図４】第３実施の形態にかかる画素の配列の概略図である。
【図５】第４実施の形態にかかる画素の配列の概略図である。
【図６】第５の施の形態にかかる画素の配列の概略図である。
【図７】パーソナルコンピュータの斜視図である。
【図８】携帯電話の斜視図である。
【図９】ストライプ配列の画素の概略図である。
【図１０】デルタ配列の画素の概略図である。
【符号の説明】
１０・・・画素、１１・・・ドットマトリックスの集合体、１２・・・副画素（サブピクセル）、１３・・・低視感度の画素、１４・・・ダミー画素
【図１】
2004354506.tif 000003
【図２】
2004354506.tif 000004
【図３】
2004354506.tif 000005
【図４】
2004354506.tif 000006
【図５】
2004354506.tif 000007
【図６】
2004354506.tif 000008
【図７】
2004354506.tif 000009
【図８】
2004354506.tif 000010
【図９】
2004354506.tif 000011
【図１０】
2004354506.tif 000012